(57)【要約】【課題】  携帯端末装置が紛失・盗難の被害にあったときに、他人が携帯端末装置を私物化して使用することを防ぐことの可能な，新規かつ改良された携帯端末装置を提供する。【解決手段】  加入者の個人情報を記憶する加入者ＩＣカード２００が装着されたときに使用を許可する携帯端末装置１００において、加入者ＩＣカードが接続されることにより個人情報を認識する識別手段１１０と、この識別手段で認識された個人情報を格納する記憶手段１３０と、を備え、記憶手段に個人情報のうちの一つである識別用個人情報を登録してから、加入者カードを装着して、識別用個人情報が加入者カードに記憶された個人情報に含まれることを確認してから、使用可能になることを特徴とする。【選択図】      図１
2005223785.tif 000002
【特許請求の範囲】
【請求項１】
加入者の個人情報を記憶する加入者ＩＣカードが装着されたときに使用を許可する携帯端末装置において、
前記加入者ＩＣカードが接続されることにより前記個人情報を認識する識別手段と、
前記識別手段で認識された前記個人情報を格納する記憶手段と、を備え、
前記記憶手段に前記個人情報のうちの一つである識別用個人情報を登録してから、前記加入者ＩＣカードを装着して、前記識別用個人情報が前記加入者ＩＣカードに記憶された前記個人情報に含まれることを確認してから、使用可能になることを特徴とする、携帯端末装置。
【請求項２】
前記識別用個人情報を記憶させるための設定用加入者ＩＣカードを前記識別手段に接続させることにより、前記識別用個人情報が前記記憶手段に登録されることを特徴とする、請求項１に記載の携帯端末装置。
【請求項３】
前記識別手段とは、別の識別手段に、前記識別用個人情報を記憶させるための設定用機器を接続させることにより、前記識別用個人情報が前記記憶手段に登録されることを特徴とする、請求項１に記載の携帯端末装置。
【発明の詳細な説明】
【技術分野】
【０００１】
本発明は、携帯端末装置にかかり、特にＳＩＭカード等の加入者の個人情報を記憶する加入者ＩＣカードが装着されたときに使用を許可する携帯端末装置に関する。
【背景技術】
【０００２】
携帯電話や自動車電話等の無線通信として使用される携帯端末装置にあっては、近年、ＳＩＭ（Subscriber Identification Module）カードと称されるＩＣカードを、電話機本体に装着して通信を行い得るようにするシステムが考えられている。この場合、ＳＩＭカードには、加入者に対応して設定された電話番号等のＩＤコードが登録、記憶されていると共に、加入者の個人データ（例えば電話番号と相手先名を登録したメモリダイヤルのデータや着信履歴のデータ等）が記憶されるようになっている。
【０００３】
このような構成とすることにより、電話機本体を所有しない者、あるいは自らの所有する電話機本体が使用不能（故障、電池切れ等）となった場合でも、別の人の電話機本体を借りて（あるいは共有，公共の電話機本体を用いて）、自分のＳＩＭカードを装着することにより、使用者自身のＩＤコードを用いた通話を行うことができ、これによって課金処理もＩＤカードの所有者を対象として行うことができるようになる。また、自らの所有する電話機本体ではない場合でも、ＳＩＭカードに記憶されたメモリダイヤルのデータに基づいて、ワンタッチ操作で電話を掛けることができるようになる。
【０００４】
ところで、このように便利なＳＩＭカードであっても、例えば加入者がＳＩＭカードを紛失し、そのＳＩＭカードが意図せずに他人の手に渡ってしまうといったケースが考えられる。このような場合、そのＳＩＭカードを取得した第三者が不正に電話を使用して、ＳＩＭカードの本来の所有者に課金がなされたり、逆に他人の携帯端末に自分のＳＩＭカードを利用することを目的とした携帯端末の盗難がされたり、また、個人データが読出されて本来の所有者の個人情報が漏洩したりするという不具合の発生の虞がある。
【０００５】
このため、ＳＩＭカードの紛失・盗難時のＳＩＭカードの悪用を回避するために、ＳＩＭカードを使用して携帯電話機内部に記録された個人情報の漏洩を防止できる携帯電話機として、ＳＩＭの加入者ＩＣカードの装着による使用後に、この加入者ＩＣカードが脱除される際、携帯電話機の内部メモリに記録されている所定データを内部メモリから消去する手順を有する加入者ＩＣカードを用いる携帯電話機（例えば、特許文献１参照）が開示されている。また、電話機内に保存される個人情報を電話機内に挿入された情報カードの種類と関連付けて保存する手段と、電話機内に挿入されている情報カードの種類と保存時に関連付けられた情報カードの種類とが一致する場合に、保存した個人情報の読み出しを可能とする手段とを具備する携帯電話機（例えば、特許文献２参照）も開示されている。
【０００６】
【特許文献１】特開２００２−３００２５４号
【特許文献２】特開２００２−１９９０８９号
【発明の開示】
【発明が解決しようとする課題】
【０００７】
上記の携帯電話機は、何れも個人の持つ携帯端末内の個人情報を所有者以外への漏洩を抑制するために、ＳＩＭカードの悪用を回避することは、実現される。しかしながら、第三者が携帯端末本体を盗み出し、盗んだ人物が所有するＳＩＭカードを用いることにより盗品の携帯端末を私物化して使用することを未然に防ぐには、至らない。
【０００８】
そこで本発明は，従来の携帯端末装置が有する上記問題点に鑑みてなされたものであり，本発明の目的は，携帯端末装置が紛失・盗難の被害にあったときに、他人が自分のＳＩＭカードを使用することにより、携帯端末装置を私物化して使用することを防ぐことの可能な，新規かつ改良された携帯端末装置を提供することである。
【課題を解決するための手段】
【０００９】
上記課題を解決するために、本発明のある観点によれば、加入者の個人情報を記憶する加入者ＩＣカードが装着されたときに使用を許可する携帯端末装置において、加入者ＩＣカードが接続されることにより個人情報を認識する識別手段と、この識別手段で認識された個人情報を格納する記憶手段と、を備え、記憶手段に個人情報のうちの一つである識別用個人情報を登録してから、加入者ＩＣカードを装着して、識別用個人情報が加入者ＩＣカードに記憶された個人情報に含まれることを確認してから、使用可能になることを特徴とする、携帯端末装置が提供される。
【００１０】
このとき、識別用個人情報を記憶させるための設定用加入者ＩＣカードを識別手段に接続させることにより、識別用個人情報が記憶手段に登録されることとしてもよい。
【００１１】
このような構成とすることにより、ユーザーが携帯端末装置を紛失・盗難の被害にあったとき、携帯端末装置内部に備わる不揮発メモリ等の記憶手段に事前に登録した電話番号等の識別用個人情報と、ＳＩＭカード等の加入者ＩＣカードに記憶された個人情報の一つである電話番号が一致した場合のみ、この加入者ＩＣカードを装着して携帯端末装置を使用することが許可される。このため、紛失・盗難の被害にあった携帯端末装置を手にした他人が自分の所有する他のＳＩＭカードを使用することによって、その携帯端末装置を利用することが不可能となる。また、この機能を携帯端末装置が具備することにより、携帯端末装置の盗難の被害を抑制することができる。
【００１２】
また、このとき、上述した識別手段とは、別の識別手段に、識別用個人情報を記憶させるための設定用機器を接続させることにより、識別用個人情報が記憶手段に登録されることとしてもよい。
【００１３】
このような構成とすることにより、加入者ＩＣカードとなるＳＩＭカードの再度の抜き差しを行わずに、記憶手段となるメモリ部の電話番号等の識別用個人情報の設定を変更できるので、携帯端末装置の加入者を識別する手間をより省くことができる。
【発明の効果】
【００１４】
以上説明したように本発明によれば、ユーザーが携帯端末装置を紛失・盗難の被害にあったとき、携帯端末装置内部の不揮発メモリに使用を許可するＳＩＭカードの電話番号を記録しておくことにより、他人がその携帯端末装置を他のＳＩＭカードに差し替えて利用することを不可能とする。また、この機能を携帯端末が具備することにより、携帯端末盗難の被害抑制にも繋がる効果がある。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
（第１実施形態）
まず、本発明の携帯端末装置における第１実施形態の構成について図面を使用しながら説明する。図１は、本発明の第１実施形態における携帯端末装置の構成を示す機能ブロック図である。
【００１７】
図１に示すように、本実施形態における携帯端末装置１００には、ＳＩＭカードリード部１１０、操作入力部１２０、制御部１５０、メモリ部１３０、表示部１４０が備わる。
【００１８】
ＳＩＭカードリード部１１０は、加入者の個人情報を記憶する加入者ＩＣカードであるＳＩＭカード２００が接続されると、ＳＩＭカード２００に格納されている加入者の個人情報を認識する識別手段となる。また、本実施形態では、初めて携帯端末装置１００を利用するときに設定用ＳＩＭカード２１０をＳＩＭカードリード部１１０に差し込み、所有者の識別用個人情報として所有者の持つ通常用ＳＩＭカード２００の電話番号を操作入力部１２０から入力する。
【００１９】
換言すると、ＳＩＭカードリード部１１０は、通常用ＳＩＭカード２００とは別に、設定用ＳＩＭカード２１０を差し込むことによって、その携帯端末装置１００の利用を許可するＳＩＭカード２００に格納された個人情報のうち、ＳＩＭカード２００の所有者の識別用個人情報として、例えばＳＩＭカード２００に記載された電話番号を後述するメモリ部１３０に書き込むことができる。
【００２０】
すなわち、本実施形態では、ＳＩＭカードリード部１１０は、加入者情報を記憶する通常用ＳＩＭカード２００と、その携帯端末装置１００の利用を許可する通常用ＳＩＭカード２００の電話番号をメモリ部１３０に書き込むことができる設定用ＳＩＭカード２１０の二種類のＳＩＭカード２００、２１０を読み込むことができる。
【００２１】
操作入力部１２０は、携帯者からの携帯端末装置１００への様々なキー入力操作を行い、ボタン型のスイッチやタッチパネル式の液晶入力装置等で構成されている。
【００２２】
メモリ部１３０は、電源を切っても記憶内容を保持することができる半導体メモリである不揮発メモリで形成され、携帯端末装置１００の設定情報や電話番号を記憶する機能を有する。本実施形態では、ＳＩＭカードリード部１１０で認識されたＳＩＭカード２００、２１０に内蔵された個人情報を格納する記憶手段ともなる。
【００２３】
表示部１４０は、携帯端末装置１００の状態や機能を表示する機能を有し、液晶ディスプレイ装置等で構成される。
【００２４】
制御部１５０は、上述した各回路を始め、携帯端末装置１００に備わる各構成要素の制御を行う。本実施形態では、制御部１５０は、ＳＩＭカードリード部１１０で読み込まれたＳＩＭカード２００、２１０が通常用ＳＩＭカード２００か、メモリ部１３０へ識別用個人情報を書き込むための設定用ＳＩＭカード２１０かの判断をする。そして、通常用ＳＩＭカード２００と判断した場合、制御部１５０はメモリ部１３０に書き込まれている電話番号との比較を実行し、逆に設定用ＳＩＭ２１０と判断した場合、制御部１５０はメモリ部１３０へ電話番号等の所有者の識別用個人情報の書き込みを実行する。
【００２５】
なお、図１に図示されていないが、本実施形態における携帯端末装置１００には、通信相手の音声を出力する受話部、携帯端末装置１００への呼び出しが有った場合に携帯者へ報知を行う報知部、無線通信時の電波の送受信を行うアンテナ部、携帯端末装置１００の無線通信を行う無線部、携帯端末装置１００の電源となる二次電池、音声を入力する送話部等が携帯端末装置１００の主要回路となって搭載されているものとする。
【００２６】
次に、本発明の携帯端末装置における第１実施形態の動作について図面を使用しながら説明する。図２は、本実施形態における携帯端末装置の使用における動作を説明するためのフローチャートである。
【００２７】
まず、ユーザーが携帯端末装置１００に設けられたＳＩＭカードリード部１１０にＳＩＭカード２００、２１０を差し込んで電源を入れる。（工程Ａ１とする。）
次に、制御部１５０は、ＳＩＭカード２００、２１０に格納されている情報のチェックを行い（工程Ａ２とする。）、この挿入されたＳＩＭカード２００、２１０が通常使用する通常用ＳＩＭカード２００か、携帯端末内部に設けられたメモリ部１３０に携帯端末装置１００の所有者の識別用個人情報を登録するための設定用ＳＩＭカード２１０かの確認をする（工程Ａ３とする。）。
【００２８】
ここで差し込まれたＳＩＭカードが設定用ＳＩＭカード２１０ならば、制御部１５０は、この携帯端末装置１００の使用を許可する通常用ＳＩＭカード２００の電話番号の追加・削除を行うメッセージを表示部１４０に表示し（工程Ａ９とする。）、ユーザーからの電話番号の追加・削除入力を操作入力部１２０から待ち、設定値をメモリ部１３０に設定する（工程Ａ１０とする。）。
【００２９】
逆に、工程Ａ３において、差し込まれたＳＩＭカードが通常使用される通常用ＳＩＭカード２００である場合、制御部１５０は、ＳＩＭカード２００に内蔵されている電話番号を読み込み、メモリ部１３０に書き込まれている利用を許可する電話番号と比較する（工程Ａ５とする。）。
【００３０】
ここで差し込まれたＳＩＭカード２００が携帯端末装置１００の使用を許可されない電話番号であると、制御部１５０は、携帯端末装置１００の操作入力部１２０の制御を停止し、表示部１４０に現在差し込まれているＳＩＭカード２００が使用できないことを表示する（工程Ａ８とする。）。また、差し込まれたＳＩＭカード２００が使用許可されたＳＩＭカード２００であれば、制御部１５０は、携帯端末装置１００の使用制限をかけることなく、携帯端末装置１００の通常利用を有効とする（工程Ａ１１とする。）。
【００３１】
以上、詳述したように、本実施形態の携帯端末装置１００は、初めて利用するときに設定用ＳＩＭカード２１０をＳＩＭカードリード部１１０に差し込み、所有者の識別用個人情報として所有者の持つ通常用ＳＩＭカード２００の電話番号を操作入力部１２０から入力することにより、メモリ部１３０へ所有者の識別用個人情報を登録する。
【００３２】
その後、通常用ＳＩＭカード２００をＳＩＭカードリード部１１０に差し込むと、制御部１５０は、メモリ部１３０から登録されている識別用個人情報である電話番号を読み込み、ＳＩＭカードリード部１１０が読み込んだＳＩＭ電話番号と一致するかを確認する。
【００３３】
そして、制御部１５０は、通常用ＳＩＭカード２００に格納されている識別用個人情報である電話番号が使用許可されたＳＩＭ電話番号と一致するものであれば、通常の携帯端末装置として利用を許可する。また、通常用ＳＩＭカード２００に格納されている識別用個人情報である電話番号が使用許可されたＳＩＭ電話番号と一致するものでなければ、制御部１５０は、登録されていないＳＩＭであることを表示部１４０に表示し、その携帯端末装置１００の利用を禁止する。このような動作により、携帯端末装置１００の紛失・盗難時に、他者の持つＳＩＭカードを用いてその携帯端末装置１００を利用することを不可能とし、携帯端末盗難などを抑制することができる。
【００３４】
（第２実施形態）
次に、本発明の携帯端末装置における第２実施形態の構成について図面を使用しながら説明する。図３は、本発明の第２実施形態における携帯端末装置１００’の構成を示す機能ブロック図である。
【００３５】
本実施形態では、初めて携帯端末装置１００’を使用するときに、ＳＩＭカード２００に記載された電話番号等の所有者の識別用個人情報をメモリ部１３０に登録する手段が異なる。すなわち、本実施形態では、ＳＩＭカード２００に格納されている加入者の個人情報を認識する識別手段となるＳＩＭカードリード部１１０とは別に、加入者の個人情報を認識する識別手段として、識別用個人情報を記憶させるための設定用機器２２０を接続させる外部接続用インターフェース１６０が制御部１５０に接続されて設けられている。
【００３６】
本実施形態では、新たに外部接続用インターフェース１６０を持つことにより、手間のかかるＳＩＭカード２００の抜き差しを行わずに、メモリ部１３０への電話番号等の識別用個人情報の設定を変更できる点で先の第１実施形態と異なる。
【００３７】
なお、他の構成要素については、第１実施形態と略同一であるので、これら構成要素についての説明は、省略するものとする。
【００３８】
次に、本発明の携帯端末装置における第２実施形態の動作について図面を使用しながら説明する。図４は、本実施形態における携帯端末装置１００’の使用における動作を説明するためのフローチャートである。
【００３９】
図４に示す第２実施形態の携帯端末装置１００’の使用における動作のフローチャートは、図２に示す第１実施形態での工程Ａ２、工程Ａ３、及び工程Ａ１０の接続先が異なり、それ以外の点では、図２に示す第１実施形態と同じシステムを使用している。
【００４０】
図４に示すように、携帯端末装置１００’の電源が入っている状態で外部接続用インターフェース１６０に何らかの機器が接続されると（工程Ｂ１とする。）、制御部１５０は、携帯端末装置１００’に接続された機器が識別用個人情報となる電話番号等の設定用機器２２０なのかを判断する（工程Ｂ２とする。）。
【００４１】
このとき、電話番号等の加入者識別用個人情報の設定用機器２２０でないものが接続された場合は、携帯端末装置１００’は、通常に電源が入れられた処理と同じように前述した第１実施形態の動作フローチャートである図２に示す工程Ａ４以下に続く。
【００４２】
逆に電話等の加入者識別用個人情報の番号設定用機器２２０が接続された場合、先の第１実施形態と同様に制御部１５０は、この携帯端末装置１００’が使用を許可するＳＩＭカードの電話番号の追加・削除を行うメッセージを表示部１４０に表示し（工程Ａ９とする。）、ユーザーからの電話番号の追加・削除入力を操作入力部１２０から待ち、設定値をメモリ部１３０に設定する（工程Ａ１０とする。）。
【００４３】
以上、詳述したように、本実施形態の携帯端末装置１００’は、初めて利用するときに設定用機器２２０を外部接続用インターフェース１６０に接続して、所有者の識別用個人情報として、例えば所有者の持つ通常用ＳＩＭカード２００の電話番号を操作入力部１２０から入力することにより、メモリ部１３０へ所有者の識別用個人情報を登録する。
【００４４】
その後、通常用ＳＩＭカード２００をＳＩＭカードリード部１１０に差し込むと、制御部１５０は、メモリ部１３０から登録されている電話番号を読み込み、ＳＩＭカードリード部１１０が読み込んだＳＩＭ電話番号と一致するかを確認する。
【００４５】
そして、制御部１５０は、一致するものであれば、通常の携帯端末として利用を許可し、一致するものでなければ、登録されていないＳＩＭカードであることを表示部１４０に表示し、その携帯端末装置１００の利用を禁止する。これにより、携帯端末装置１００の紛失・盗難時に、他者の持つＳＩＭカードを用いてその携帯端末装置１００’を利用することを不可能とし、携帯端末盗難などを抑制することができる。
【００４６】
しかも、先の第１実施形態と異なり、ＳＩＭカードリード部１１０には、通常用ＳＩＭカード２００を指しておいたままにすることが可能なため、一度電源を切ることなく、前述した工程Ａ４からの処理を続けることが可能となる。すなわち、ＳＩＭカード２００の再度の抜き差しを行わずに、メモリ部１３０の電話番号等の識別用個人情報の設定を変更できるので、携帯端末装置１００’の加入者を識別する手間をより省くことができる。
【００４７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４８】
例えば、携帯端末装置の所有者の識別用個人情報となる使用許可電話番号の設定に関しては、ＳＩＭカード等の加入者情報記憶媒体を用いずに、暗証番号や指紋認証を用いて設定を許可しても良い。
【００４９】
また、使用不可のＳＩＭカードが差し込まれた場合に対して、制御を停止して終了するだけでなく、他人に知られない為の電話帳の削除・指定電話番号への通知等、使用不可のＳＩＭカードが差し込まれたときの通常使用禁止処理（工程Ａ７）を設定することによって、変更可能となるものとする。
【００５０】
さらに、メモリ部に書き込める所有者の識別用個人情報となる使用可能電話番号は、一つに限らず、制限は無いものとする。また、メモリ部に書き込まれる所有者の識別用個人情報となる使用可能電話番号は、電話番号に限らず、ＳＩＭカードが個々に持つ認識番号・記号での登録でも良いものとする。
【産業上の利用可能性】
【００５１】
本発明は，携帯電話機や自動車電話機等の携帯端末装置に適用可能であり，特にＳＩＭカード等の加入者の個人情報を記憶する加入者ＩＣカードが装着されたときに使用を許可する携帯端末装置に適用可能である。
【図面の簡単な説明】
【００５２】
【図１】本発明の第１実施形態における携帯端末装置の構成を示す機能ブロック図である。
【図２】同実施形態における携帯端末装置の使用における動作を説明するためのフローチャートである。
【図３】本発明の第２実施形態における携帯端末装置の構成を示す機能ブロック図である。
【図４】同実施形態における携帯端末装置の使用における動作を説明するためのフローチャートである。
【符号の説明】
【００５３】
１００、１００’    携帯端末装置
１１０    ＳＩＭカードリード部
１２０    操作入力部
１３０    メモリ部
１４０    表示部
１５０    制御部
１６０    外部接続用インターフェース
２００    通常用ＳＩＭカード
２１０    設定用ＳＩＭカード
２２０    設定用機器
【図１】
2005223785.tif 000003
【図２】
2005223785.tif 000004
【図３】
2005223785.tif 000005
【図４】
2005223785.tif 000006